(57)【要約】【課題】再生順序指定再生を行っている際の、チャプタが切替わる毎に行われるシーク動作を省略し、ユーザの使い勝手を向上させた光ディスク装置を提供する。【解決手段】制御部６は、PUヘッド２が現在位置するタイトル＃１のPGC情報＃１をPUヘッド２に読取らせる。制御部６は、そのPGC情報＃１を記憶部１１に記録する。制御部６は、そのPGC情報＃１に基づいて、現在位置するタイトル＃１の再生順序指定再生を開始する。チャプタ＃１−１からチャプタ＃１−２に切替わると、制御部６は、記憶部１１からPGC情報＃１を読出す。制御部６は、そのPGC情報＃１に基づいて続きのセルの再生を開始する。ここで、制御部６は、記憶部１１からPGC情報＃１を読出すので、光ディスク１００に対するPGC情報＃１の読取を再び行う必要がない。よって、チャプタが切替わる毎に行われるシーク動作を省略することができる。【選択図】図２
2008052832.tif 000002
【特許請求の範囲】
【請求項１】
映像データや音声データなどを格納する複数のセルと、それらのセルの再生順序を示す再生順序情報と、が記録され、再生する際においてセルへのアクセス単位となるチャプタも設定されている光ディスクに対して、ピックアップヘッドからレーザ光を照射し、その光ディスクに記録されているデータを読取り、前記複数のセルの中から選択されたセルの群を前記チャプタ単位で再生する再生手段を備える光ディスク装置において、
前記再生順序情報を記憶する記憶手段と、
前記複数のセルの再生順序を指定した再生順序指定再生が指示されると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択し、さらに、再生を開始するよう前記再生手段に指示するセル選択手段と、
前記再生手段が読取った前記再生順序情報を前記セル選択手段が前記記憶手段に記録する記録処理を、許可するか禁止するかを切替える切替手段と、
前記切替手段において前記記録処理が禁止に切替られている場合、前記セル選択手段の前記記録処理を禁止する禁止手段と、を備え、
前記光ディスクに記録されている前記複数のセルは、前記チャプタを含むタイトル毎に記録されており、
（１）前記セル選択手段は、再生中にチャプタが切替わると、前記記憶手段から前記再生順序情報を読出し、該読出した再生順序情報に基づいて前記再生手段が再生するセルの群を選択し、
（２）前記セル選択手段は、再生中にタイトル中のチャプタが全て終了して該タイトルが別のタイトルに切替わると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択し、
（３）前記セル選択手段は、前記禁止手段が前記記録処理を禁止している場合において再生中にチャプタが切替わると、前記光ディスクから前記再生順序情報を読取るよう前記再生手段に指示し、前記再生手段が読取った再生順序情報に基づいて前記再生手段が再生するセルの群を選択する光ディスク装置。
【請求項２】
映像データや音声データなどを格納する複数のセルと、それらのセルの再生順序を示す再生順序情報と、が記録され、再生する際においてセルへのアクセス単位となるチャプタも設定されている光ディスクに対して、ピックアップヘッドからレーザ光を照射し、その光ディスクに記録されているデータを読取り、前記複数のセルの中から選択されたセルの群を前記チャプタ単位で再生する再生手段を備える光ディスク装置において、
前記再生順序情報を記憶する記憶手段と、
前記複数のセルの再生順序を指定した再生順序指定再生が指示されると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択し、さらに、再生を開始するよう前記再生手段に指示するセル選択手段と、を備え、
前記セル選択手段は、再生中にチャプタが切替わると、前記記憶手段から前記再生順序情報を読出し、該読出した再生順序情報に基づいて前記再生手段が再生するセルの群を選択する光ディスク装置。
【請求項３】
前記光ディスクに記録されている前記複数のセルは、前記チャプタを含むタイトル毎に記録されており、
前記セル選択手段は、再生中にタイトル中のチャプタが全て終了して該タイトルが別のタイトルに切替わると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択する請求項２に記載の光ディスク装置。
【請求項４】
前記再生手段が読取った前記再生順序情報を前記セル選択手段が前記記憶手段に記録する記録処理を、許可するか禁止するかを切替える切替手段と、
前記切替手段において前記記録処理が禁止に切替られている場合、前記セル選択手段の前記記録処理を禁止する禁止手段と、を備え、
前記セル選択手段は、前記禁止手段が前記記録処理を禁止している場合において再生中にチャプタが切替わると、前記光ディスクから前記再生順序情報を読取るよう前記再生手段に指示し、前記再生手段が読取った再生順序情報に基づいて前記再生手段が再生するセルの群を選択する請求項２又は３に記載の光ディスク装置。
【発明の詳細な説明】
【技術分野】
【０００１】
本発明は、光ディスクに記録されている複数のセルの中から選択されたセルの群を再生する光ディスク装置に関するものである。
【背景技術】
【０００２】
従来、ＣＤ、ＤＶＤ等の光ディスクに記録されている画像や音声を再生する光ディスク装置が実用化され、一般に普及している。
【０００３】
ここで、洋画などが記録されている光ディスクには、英語音声や英語字幕以外に、発売されている地域に合わせて複数の言語の音声や字幕が、オーサリングされていることが多い。また、光ディスクには、複数の角度から撮影した画像を切替える再生（マルチアングル）や、大人用と子供用の画像を選択して再生（パレンタルロック）などの再生順序指定再生が可能なものもある。これら複数の言語（マルチ言語）やマルチアングルやパレンタルロックなどの機能を実現するため、光ディスクには、複数のデータストリームが記録されている。詳述すると、複数のデータストリームは、映像データや音声データなどを格納する複数のセルで構成される。また、光ディスクには、それらのセルの再生順序を示す再生順序情報も記録されている。
【０００４】
そして、光ディスク装置は、一般的に、セットアップ画面（初期設定画面）上において、音声言語、又は字幕言語などの設定をユーザに行わせる。光ディスク装置は、セットアップ画面上において設定された設定内容に対応する再生順序情報を光ディスクから読取る。これにより、光ディスク装置は、再生順序情報に基づいて光ディスクに記録されている複数のセルの中からセルの群を読取り、チャプタ単位で再生する。即ち、光ディスク装置は、再生順序情報に基づいて光ディスクに記録されている複数のデータストリームの中から選択された１本のデータストリーム（セルの群）を読取り、チャプタ単位で再生する。
一方、特許文献１に記載されたようなディスク装置が提案されている。
【特許文献１】特開平１１−１４４４４１号公報
【発明の開示】
【発明が解決しようとする課題】
【０００５】
しかしながら、上記の従来例において、光ディスク装置は、チャプタが切替わる毎に再生順序情報を光ディスクから逐一読取っていた。一般的に、この再生順序情報は、再生しているセルよりも内周に記録されているため、セルの読取りを一旦中断して内周にシークしなければならない。
そのため、上記従来の光ディスク装置では、チャプタが切替わる毎に再生が一時停止することもあり、続きのセルの再生が再開されるまでの間、ユーザを待たせていた。従って、上記従来の光ディスク装置では、ユーザの使い勝手が悪いという問題があった。
【０００６】
本発明はこのような従来の課題を解決しようとするものであり、再生順序指定再生を行っている際の、チャプタが切替わる毎に行われるシーク動作を省略し、ユーザの使い勝手を向上させた光ディスク装置を提供することを目的とする。
【課題を解決するための手段】
【０００７】
本発明の光ディスク装置は、前記課題を解決するために以下の構成を備えている。
【０００８】
（１）映像データや音声データなどを格納する複数のセルと、それらのセルの再生順序を示す再生順序情報と、が記録され、再生する際においてセルへのアクセス単位となるチャプタも設定されている光ディスクに対して、ピックアップヘッドからレーザ光を照射し、その光ディスクに記録されているデータを読取り、前記複数のセルの中から選択されたセルの群を前記チャプタ単位で再生する再生手段を備える光ディスク装置において、
前記再生順序情報を記憶する記憶手段と、
前記複数のセルの再生順序を指定した再生順序指定再生が指示されると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択し、さらに、再生を開始するよう前記再生手段に指示するセル選択手段と、を備え、
前記セル選択手段は、再生中にチャプタが切替わると、前記記憶手段から前記再生順序情報を読出し、該読出した再生順序情報に基づいて前記再生手段が再生するセルの群を選択する。
【０００９】
この構成において、再生順序指定再生は、マルチ言語やマルチアングルやパレンタルロックなどの再生である。
この構成においては、セル選択手段は、タイトルの再生順序情報を記憶手段に記録している。そのため、セル選択手段は、再生中にチャプタが切替わっても、記憶手段からPGC情報を読出すので、光ディスクからPGC情報を再度読取る必要がない。
そのため、再生順序指定再生を行っている際の、チャプタが切替わる毎に行われるシーク動作を省略することができる。ここで、そのシーク動作は内周に一旦シークする必要があるので、記憶手段からPGC情報を読出す処理は、そのシーク動作に比べて極めて早い。そのため、続きのセルの再生が再開されるまでの間、ユーザをほとんど待たせない。
以上より、続きのセルの再生が再開されるまでの時間を短縮させることができる。従って、ユーザの使い勝手を向上させることができる。
【００１０】
（２）前記光ディスクに記録されている前記複数のセルは、前記チャプタを含むタイトル毎に記録されており、
前記セル選択手段は、再生中にタイトル中のチャプタが全て終了して該タイトルが別のタイトルに切替わると、前記光ディスクから前記再生順序情報を読取るよう前記再生手段に指示し、前記再生手段が読取った再生順序情報を前記記憶手段に記録するとともに、前記再生手段が読取った再生順序情報に基づいて前記再生手段が再生するセルの群を選択する。
【００１１】
この構成において、あるタイトルの再生順序情報は、別のタイトルの再生において使用できない。そのため、再生中にタイトル中のチャプタが全て終了して該タイトルが別のタイトルに切替わった場合、セル選択手段は、その別のタイトルの再生順序情報を読取るよう再生手段に指示する。
そして、セル選択手段は、別のタイトルの再生順序情報も記憶手段に記録している。そのため、セル選択手段は、別のタイトルの再生中にチャプタが切替わっても、記憶手段からPGC情報を読出すので、光ディスクからPGC情報を再度読取る必要がない。そのため、別のタイトルにおいても、続きのセルの再生が再開されるまでの間、ユーザをほとんど待たせない。
以上より、別のタイトルにおいても、続きのセルの再生が再開されるまでの時間を短縮させることができる。従って、ユーザの使い勝手を一層向上させることができる。
【００１２】
（３）前記再生手段が読取った前記再生順序情報を前記セル選択手段が前記記憶手段に記録する記録処理を、許可するか禁止するかを切替える切替手段と、
前記切替手段において前記記録処理が禁止に切替られている場合、前記セル選択手段の前記記録処理を禁止する禁止手段と、を備え、
前記セル選択手段は、前記禁止手段が前記記録処理を禁止している場合において再生中にチャプタが切替わると、前記光ディスクから前記再生順序情報を読取るよう前記再生手段に指示し、前記再生手段が読取った再生順序情報に基づいて前記再生手段が再生するセルの群を選択する。
【００１３】
上記（１）（２）では、記録処理が許可に決められていたが、ここでは、記録処理を許可にするか禁止にするかのいずれか一方をユーザが切替できる。
この構成においては、記録処理を許可にすると、上述と同じように続きのセルの再生が再開されるまでの時間を短縮することができる。一方、記録処理を禁止にすると、記録処理を行わなくなる。具体的には、再生順序指定再生が指示された時、セル選択手段は、記録処理を行う必要がないため、再生順序指定再生をすぐに開始する。逆に、続きのセルの再生が再開されるまでの時間は短縮されない。
以上より、再生順序指定再生を指示してからその命令が実行されるまでに要する時間を短縮させるか、続きのセルの再生が再開されるまでの時間を短縮させるか、をユーザが自分の使用方法に応じて選択できる。従って、ユーザの使い勝手を一層向上させることができる。
【発明の効果】
【００１４】
この発明によれば、続きのセルの再生が再開されるまでの時間を短縮させることができる。従って、ユーザの使い勝手を向上させることができる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、装置本体１にセットされている光ディスク１００に対しデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部を制御する制御部６と、情報を表示する表示部９と、再生キー等が設けられている操作部１０と、記憶部１１と、を備える。光ディスク装置１は、所謂ＤＶＤプレーヤである。また、光ディスク１００は、ＣＤ、又はＤＶＤである。
【００１７】
なお、この実施形態では、光ディスク装置としてＤＶＤプレーヤで説明しているが、再生機能があればＤＶＤレコーダでも構わない。
【００１８】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動させる。
ＬＤは、レーザ光を出力する光源である。フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、および光ディスク１００の半径方向に移動させる。
【００１９】
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
【００２０】
再生回路３は、ＰＵヘッド２の複数の受光素子の出力に基づいてＲＦ信号を生成して増幅し、該ＲＦ信号を処理してＡＶ（Ａudio  Ｖisual）データを取り出す。ここで、取り出されるＡＶデータは、例えばＭＰＥＧ（Moving  Picture  Experts  Group）でエンコードされている。そして、そのＡＶデータは、再生回路３内蔵のバッファＲＡＭ（不図示）に一旦格納する。
バッファＲＡＭに格納されているＡＶデータは、制御部６からの読み出し要求に従って順次読み出され、デコーダ４に転送（出力）される。
【００２１】
デコーダ４は、バッファＲＡＭに記憶（格納）されているＡＶデータをデコードする。デコードされたＡＶデータは、デコーダ４内蔵のデコードＲＡＭ（不図示）に一旦格納された後、再び読み出され、D／A回路５に順次転送される。
【００２２】
D／A回路５は、デコーダ４によって伸長されたＡＶデータをアナログの再生信号に変換し、その再生信号を外部に出力する。
【００２３】
記憶部１１は、例えば半導体メモリ、ハードディスクで構成される。半導体メモリは、例えばＥＥＰＲＯＭである。
【００２４】
操作部１０は、装置本体に対する入力操作を行う複数の操作キー（不図示）や、図示していないリモコンから送信されてきた装置本体１に対するコマンド（命令）を受信するリモコン受信部（不図示）を有している。操作部１０は、ユーザにより操作された操作キーに応じたコマンドや、リモコン受信部で受信したコマンドを制御部６に伝送する。
操作キーには、セットアップ画面（初期設定画面）を表示するためのメニュー画面表示キーと、セットアップ画面上において、音声言語、又は字幕言語などを選択するための選択キーと、所望のタイトルの再生を行うための再生キーと、等がある。
【００２５】
表示部９は、例えば液晶パネルで構成されている。そして、表示部９は、時刻、光ディスク装置１の設定状態などを表示する。
【００２６】
制御部６は、例えばマイクロコンピュータで構成される。さらに、制御部６は、制御プログラムを記憶するROM（不図示）と、制御プログラムで処理されるデータを展開するためのワークフィールドとしてのRAM（不図示）と、を内蔵する。
【００２７】
なお、ＰＵヘッド２、再生回路３、デコーダ４、及びD／A回路５が、本発明の「再生手段」に相当する。記憶部１１が、本発明の「記憶手段」に相当する。制御部６が、本発明の「セル選択手段」に相当する。
【００２８】
ここで、光ディスク１００は、ＤＶＤ−Ｖideoフォーマットで記録されている。
図２は、ＤＶＤ−Ｖideoフォーマットで記録された光ディスク上のデータのデータ構造を示す図である。ＤＶＤ−Ｖideoフォーマットで記録された光ディスク１００上には、図２（Ａ）に示すように、その内周から外周にかけてVMGI、VMGM_VOBS、タイトル＃１〜３が記録されている。
【００２９】
VMGI(Video  Manager  Information)には、ＤＶＤ−Ｖideo全体の再生関連情報（制御情報）、いわゆるルートメニューの情報が記述されている。例えば、ＶＴＳＩのアドレス情報等もここに記述されている。VMGM_VOBS(Video  Object  Set  for  VMG  Menu)には、タイトルメニューで使用するコンテンツが記述されている。また、ここには、ＶＴＳＩのアドレス情報等を含むＤＶＤ−Ｖideo全体の再生関連情報（制御情報）が記述される場合もある。VMGIbupは、VMGIのバックアップファイルである。
また、タイトルは、ＶＴＳＩ（Ｖideo  Ｔitle  Ｓet  Ｉnformation）とＶＯＢＳ（Ｖideo  Ｏbject  Ｓet）とＶＴＳＩbupとから構成されている（図２（Ａ）参照）。ＤＶＤ−Ｖideoフォーマットでは、最大９９タイトルまで収録が可能である。図２（Ａ）では、３タイトル収録されている。
【００３０】
ＶＴＳＩには、そのＶＴＳに対応する制御情報が記述されている。この制御情報は、後述のPGC情報を含む。
【００３１】
ＶＯＢＳには、タイトル再生のためのコンテンツが記述されている。該ＶＯＢＳには、図２（C）に示すように、複数のセルから構成されている。ここで、図２（C）の＃ｎは、セルの番号である。
なお、ＶＯＢＳとＶＴＳとは、同じものを表す。
【００３２】
ＶＴＳＩbupには、ＶＴＳＩのバックアップファイルが記述されている。
ここで、ＶＴＳＩ、ＶＯＢＳ、及びＶＴＳＩbupの＃１〜３は、タイトルの番号に対応している。
【００３３】
ＤＶＤ−Ｖideoフォーマットにおいて、データは、予め決められたセル単位で記録される。
セルは、複数のＶＯＢＵ（Ｖideo  Ｏbject  Ｕnit）で構成される（図２（D）参照）。図２（D）の＃nは、ＶＯＢＵの番号である。１タイトルのセルの最大数は２５５セルである。そのため、光ディスクに１０時間分のデータを記録する場合、１セルは、例えば２分３０秒である。
ＶＯＢＵには、先頭にＮＶ＿ＰＣＫ（Ｎavigatyion  Ｐack）が置かれ、続いてビデオデータやオーディオデータ（ＡＶデータ）などがパック化されて挿入される（図２（E）参照）。
【００３４】
ここで、図２（A）に示すように、VTSIには、同一タイトル中における複数のセルの再生順序を示すPGC（program chain）情報が記述されている。つまり、PGC情報＃１は、タイトル＃１中における複数のセルの再生順序を示しており、PGC情報＃２は、タイトル＃２中における複数のセルの再生順序を示している。
また、図２（B）に示すように、光ディスク１００には、再生する際においてセルへのアクセス単位となるチャプタが設定される。
なお、PGC情報が、本発明の「再生順序情報」に相当する。
【００３５】
図３は、図２の光ディスク１００のタイトル＃１に設定されたチャプタを示す図である。図３（A）〜（C）は、図２の（A）〜（C）とそれぞれ対応している。また、図４は、図２の光ディスク１００のタイトル＃２に設定されたチャプタを示す図である。図４（A）〜（C）の各階層は、図３の（A）〜（C）の各階層と対応している。
【００３６】
ところで、マルチ言語やマルチアングルやパレンタルロックなどの再生順序指定再生を実現するため、光ディスク１００には、複数のデータストリームが記録されている。この複数のデータストリームは、映像データや音声データなどを格納する複数のセルで構成される。
【００３７】
そして、光ディスク装置１は、セットアップ画面（初期設定画面）上において、音声言語、又は字幕言語などの設定をユーザに行わせる。光ディスク装置１は、セットアップ画面上において設定された設定内容に対応するPGC情報を光ディスクから読取る。これにより、光ディスク装置１は、PGC情報に基づいて光ディスク１００に記録されている複数のセルの中からセルの群を読取り、チャプタ単位で再生する。即ち、光ディスク装置１は、PGC情報に基づいて光ディスク１００に記録されている複数のデータストリームの中から選択された１本のデータストリーム（セルの群）を読取り、チャプタ単位で再生する。例えば、セル＃１A、セル＃１C、及びセル＃１E等のように飛び飛びにアクセスして（セルの群を）再生することにより、英語による再生（マルチ言語機能）が実現する（図３（C）参照）。
【００３８】
しかしながら、従来の光ディスク装置は、チャプタが切替わる毎にPGC情報を光ディスク１００から読取っていた（図３（B）参照）。このPGC情報は、再生しているセルよりも内周に記録されているため（図２（A）のPGC情報＃１参照）、セルの読取りを一旦中断して内周にPUヘッド２をシークしなければならない。例えば、図３（B）において、チャプタ＃１−１からチャプタ＃１−２に切替わった場合、従来の光ディスク装置は、図２（A）のPGC情報＃１を再度読取っていた。
そのため、上記従来の光ディスク装置では、チャプタが切替わる毎に再生が一時停止することもあり、再生が再開されるまでの間、ユーザを待たせていた。
【００３９】
そこで、この実施形態では、以下のように構成している。
記憶部１１は、PGC情報を記憶する領域を有する。
また、制御部６は、再生順序指定再生が指示されると、光ディスク１００からPGC情報を読取るようPUヘッド２及び再生回路３に指示する。そして、制御部６は、PUヘッド２及び再生回路３が読取ったPGC情報を記憶部１１に記録するとともに、PUヘッド２及び再生回路３が読取ったPGC情報に基づいてPUヘッド２及び再生回路３が再生するセルの群を選択する。さらに、制御部６は、再生を開始するようPUヘッド２、再生回路３、デコーダ４及びD／A回路５に指示する。そして、制御部６は、再生中にチャプタが切替わると、記憶部１１からPGC情報を読出し、該読出したPGC情報に基づいてPUヘッド２及び再生回路３が再生するセルの群を選択する。
【００４０】
図５は、本発明の実施形態である光ディスク装置における制御部が行う動作を示すフローチャートである。この動作は、複数のセルの再生順序を指定した再生順序指定再生が指示された時の動作である。再生順序指定再生は、マルチ言語やマルチアングルやパレンタルロックなどの再生である。
【００４１】
マルチ言語やマルチアングルやパレンタルロックなどの機能を使用する場合、ユーザは、操作部１０のメニュー画面表示キーを押下してセットアップ画面（初期設定画面）を表示部９に表示する。そして、ユーザは、そのセットアップ画面上において、音声言語、又は字幕言語などを操作部１０の選択キーで選択する。そして、ユーザは、再生キーを押下して、所望のタイトルの再生を指定する。これにより、再生順序指定再生が指示される。
【００４２】
再生順序指定再生が指示されると、制御部６は、PUヘッド２を目標のタイトルへ移動させる（S1）。例えば、光ディスク１００のタイトル＃１の再生がユーザにより指定されると、タイトル＃１へ移動させる。同様に、光ディスク１００のタイトル＃２の再生がユーザにより指定されると、タイトル＃２へ移動させる。
【００４３】
制御部６は、PUヘッド２が現在位置するタイトルのPGC情報をPUヘッド２に読取らせる（S２）。この実施形態では、現在位置するタイトルがタイトル＃２であれば、PGC情報＃２をPUヘッド２に読取らせることとする（図１参照）。現在位置するタイトルがタイトル＃１である場合も同様に行う。
【００４４】
制御部６は、S２において読取ったPGC情報を記憶部１１に記録する（S３、図１参照）。
【００４５】
そして、制御部６は、S２において読取ったPGC情報に基づいて、現在位置するタイトルの再生順序指定再生を開始する（S４）。詳述すると、制御部６が再生するセルの群を選択し、再生を開始するようPUヘッド２、再生回路３、デコーダ４及びD／A回路５に指示する。これにより、PUヘッド２、再生回路３、デコーダ４及びD／A回路５は、複数のセルの中から選択されたセルの群をチャプタ単位で再生する。
【００４６】
再生中、制御部６は、チャプタが切替わったか否かを判定する（S５）。
【００４７】
チャプタが切替わっていないと判定すると、制御部６は、再生がセルの終端に到達したか否かを判定する（S６）。再生がセルの終端に到達していないと判定すると、制御部６は、S５に戻り処理を継続する。
【００４８】
そして、S５においてチャプタが切替わったと判定すると、制御部６は、記憶部１１からPGC情報を読出す（S９）。S９では、例えば、図３（B）において、チャプタ＃１−１からチャプタ＃１−２に切替わった場面を想定している。
【００４９】
そして、制御部６は、読出したPGC情報に基づいて、続きのセルの再生を開始し（S１０）、S5に戻り処理を継続する。詳述すると、制御部６が再生するセルの群を選択し、続きのセルの再生を開始するようPUヘッド２、再生回路３、デコーダ４及びD／A回路５に指示する。これにより、PUヘッド２、再生回路３、デコーダ４及びD／A回路５は、複数のセルの中から選択されたセルの群をチャプタ単位で再生する。
【００５０】
ここで、チャプタ＃１−１からチャプタ＃１−２に切替わった場面（図３（B）参照）では、制御部６は、記憶部１１からPGC情報を読出すので、図２（A）に示すPGC情報＃１の読取を再び行う必要がない。
そのため、再生順序指定再生を行っている際の、チャプタが切替わる毎に行われるシーク動作を省略することができる。ここで、そのシーク動作は内周に一旦シークする必要があるので、S９における記憶部１１からPGC情報を読出す処理は、そのシーク動作に比べて極めて早い。そのため、続きのセルの再生が再開されるまでの間、ユーザをほとんど待たせない。
【００５１】
以上より、続きのセルの再生が再開されるまでの時間を短縮させることができる。従って、ユーザの使い勝手を向上させることができる。
【００５２】
一方、S6において再生がセルの終端に到達していると判定すると、つまり、タイトル中にある全てのチャプタの再生が終了した場合、制御部６は、次のタイトルが存在するか否かを判定する（S７）。
【００５３】
次のタイトルが存在しないと判定すれば、制御部６は、再生を停止し（S１１）、本処理を終了する。
【００５４】
一方、次のタイトルが存在すると判定すれば、つまり、再生中にタイトル中のチャプタが全て終了して該タイトルが次のタイトルに切替わると、制御部６は、次のタイトルへPUヘッド２を移動させ（S８）、S２に進み処理を継続する。ここでは、例えば、タイトル＃１からタイトル＃２に切替わる場面を想定している（図２（A）参照）。この場合、タイトル＃１のPGC情報＃１は、タイトル＃２の再生において使用できない。そのため、制御部６は、タイトル＃２のPGC情報＃２をPUヘッド２に読取らせる（S2）。そして、制御部６は、PGC情報＃２を記憶部１１に記録する（S３）。ここで、PGC情報＃１は不要であるため、更新記録すると良い。そして、制御部６は、読取ったPGC情報＃２に基づいて、現在位置するタイトル＃２の再生順序指定再生を開始する（S４）。
【００５５】
そして、S５においてチャプタが切替わったと判定すると、制御部６は、記憶部１１からPGC情報を読出す（S９）。さらに、制御部６は、読出したPGC情報に基づいて、続きのセルの再生を開始し（S１０）、S5に戻り処理を継続する。
【００５６】
S３では、制御部６は、別のタイトルの再生順序情報も記憶部１１に記録している。そのため、制御部６は、S５において別のタイトルの再生中にチャプタが切替わっても、記憶部１１からPGC情報を読出すので（S９）、光ディスク１００からPGC情報を再度読取る必要がない。そのため、別のタイトルにおいても、続きのセルの再生が再開されるまでの間、ユーザをほとんど待たせない。
【００５７】
以上より、別のタイトルにおいても、続きのセルの再生が再開されるまでの時間を短縮させることができる。従って、ユーザの使い勝手を一層向上させることができる。
【００５８】
また、本発明の実施形態は、以下の変形例を採用することができる。
【００５９】
（変形例）
操作部１０に、S２において読取ったPGC情報を制御部６が記憶部１１に記録する記録処理（S3）を、許可するか禁止するかを切替える切替キー（不図示）を設けても良い（図１参照）。
【００６０】
図６は、本発明の実施形態の変形例である光ディスク装置における制御部が行う動作を示すフローチャートである。この動作は、図５における処理S３及びS９をそれぞれS１３及びS１９に置き換えた動作であり、その他の処理（S１、S２、S４〜S８、S１０、S１１）については同じである。
【００６１】
切替キーにおいて記録処理が禁止に切替られている場合、制御部６は、記録処理（S3）を禁止し（S１3）、図５の記録処理（S3）を実行しない。
【００６２】
そして、記録処理を禁止している場合において再生中にチャプタが切替わると（S5）、制御部６は、PUヘッド２が現在位置するタイトルのPGC情報をPUヘッド２に読取らせる（S１９）。S１９では、例えば、図３（B）において、チャプタ＃１−１からチャプタ＃１−２に切替わった場面を想定している。この場合、制御部６は、セルの読取りを一旦中断して内周にPUヘッド２をシークさせる。そして、制御部６は、図２（A）に示すPGC情報＃１をPUヘッド２に読取らせる。
【００６３】
そして、制御部６は、読取ったPGC情報＃１に基づいて、続きのセルの再生を開始し（S１０）、S5に戻り処理を継続する。
【００６４】
ここで、記録処理を許可にすると、図５と同じように続きのセルの再生が再開されるまでの時間を短縮することができる。一方、記録処理を禁止にすると、記録処理を行わなくなる。具体的には、再生順序指定再生が指示された時、セル選択手段は、記録処理を行う必要がないため、再生順序指定再生をすぐに開始する。逆に、続きのセルの再生が再開されるまでの時間は短縮されない。
【００６５】
以上より、再生順序指定再生を指示してからその命令が実行されるまでに要する時間を短縮させるか、続きのセルの再生が再開されるまでの時間を短縮させるか、をユーザが自分の使用方法に応じて選択できる。従って、ユーザの使い勝手を一層向上させることができる。
【図面の簡単な説明】
【００６６】
【図１】本発明の実施形態である光ディスク装置の主要な構成を示すブロック図
【図２】ＤＶＤ−Ｖideoフォーマットで記録された光ディスク上のデータのデータ構造を示す図
【図３】図２の光ディスク１００のタイトル＃１に設定されたチャプタを示す図
【図４】図２の光ディスク１００のタイトル＃２に設定されたチャプタを示す図
【図５】本発明の実施形態である光ディスク装置における制御部が行う動作を示すフローチャート
【図６】本発明の実施形態の変形例である光ディスク装置における制御部が行う動作を示すフローチャート
【符号の説明】
【００６７】
１−光ディスク装置
２−ピックアップヘッド
３−再生回路
４−デコーダ
５−D／A回路
６−制御部
９−表示部
１０−操作部
１１−記憶部
１００−光ディスク
【図１】
2008052832.tif 000003
【図２】
2008052832.tif 000004
【図３】
2008052832.tif 000005
【図４】
2008052832.tif 000006
【図５】
2008052832.tif 000007
【図６】
2008052832.tif 000008